(57)【特許請求の範囲】
【請求項１】
基材層と熱接着性樹脂層を備えた積層体からなり合掌熱接着部と端縁熱接着部により形成された細長いピロータイプの包装袋であって、合掌熱接着部の長手方向の中央部において、一方の積層体の基材層と熱接着性樹脂層間に、合掌熱接着部内端より所定距離内側の位置から積層体の合掌熱接着部外端より所定距離外側の位置にある合掌熱接着部と平行な端縁に達する領域に部分的な剥離層が形成された構成からなることを特徴とする加熱する際に、包装袋内部で発生する蒸気の圧力により合掌熱接着部が剥離し包装袋内部の蒸気を包装袋外部に排出する加熱用包装袋。
【請求項２】
前記剥離層の形状が、合掌熱接着部内端より所定距離内側の位置から積層体の合掌熱接着部外端より所定距離外側の位置にある合掌熱接着部と平行な端縁に向かう先細りした形状とされていることを特徴とする請求項１記載の加熱する際に、包装袋内部で発生する蒸気の圧力により合掌熱接着部が剥離し包装袋内部の蒸気を包装袋外部に排出する加熱用包装袋。
【請求項３】
前記剥離層が、所定の間隔をおいて形成された碁盤目状であり、碁盤目部の各辺が合掌熱接着部の長手方向と略４５度の角度をなすように配列されていることを特徴とする請求項１または２記載の加熱する際に、包装袋内部で発生する蒸気の圧力により合掌熱接着部が剥離し包装袋内部の蒸気を包装袋外部に排出する加熱用包装袋。
【請求項４】
前記合掌熱接着部において、一方の積層体に合掌熱接着部に平行な所定幅を有する積層体を貫通する微細傷痕群が形成された構成からなることを特徴とする請求項１〜３のいずれかに記載の加熱する際に、包装袋内部で発生する蒸気の圧力により合掌熱接着部が剥離し包装袋内部の蒸気を包装袋外部に排出する加熱用包装袋。
【請求項５】
前記熱接着性樹脂層の厚さが１５〜５０μｍとされていることを特徴とする請求項１〜４のいずれかに記載の加熱する際に、包装袋内部で発生する蒸気の圧力により合掌熱接着部が剥離し包装袋内部の蒸気を包装袋外部に排出する加熱用包装袋。
【発明の詳細な説明】
【技術分野】
【０００１】
本発明は、おしぼり等の水分を多く含む内容物を収納して電子レンジ加熱等により内容物を加熱した際に、包装袋の内部で発生する蒸気を自動的に外部に排出させることにより包装袋が破裂するのを防止できるようにした包装袋に関する。
【背景技術】
【０００２】
従来、包装袋の内部に水分を多く含む内容物を収納して包装体とし、電子レンジ等により加熱した際に内部で発生する蒸気を自動的に外部に排出させることにより包装体が破裂するのを防止できるようにしたピロータイプの包装袋としては、ピロー包装袋の合掌シールされた背シール中央部にピロー包装袋の内部と外部に通じる弱シール部が所定のパターンで形成された構成の電子レンジ用包装袋（例えば、特許文献１参照）、ないしは、ミシン目状のスリットが背シール部に形成されたピロー状の３方シール袋であり、背シール部は袋の天シール部と地シール部を除き袋の幅方向に対して背シール部の端縁寄りにシール部が袋寄りに未シール部が互いに連続して設けられ、ミシン目状のスリットがシール部に配置された食品包装袋（例えば、特許文献２参照）等が知られている。
【特許文献１】特開平１０−９５４７２号公報
【特許文献２】特開２００２−２９５７４号公報
【０００３】
しかしながら、前者の電子レンジ用包装袋では、ピロー包装袋の合掌シールされた背シール中央部にピロー包装袋の内部と外部に通じる弱シール部を形成する構成であり、弱シール部は所定のパターン状に凹陥部を形成したシールジョウを使用して合掌シールを行うことにより形成されるものであり、弱シール部を安定して形成するのが困難であるという欠点を有している。また、後者の食品包装袋では、背シール部を、袋の天シール部と地シール部を除き袋の幅方向に対して、背シール部の端縁寄りにシール部を、また背シール部の袋寄りに未シール部を互いに連続して設ける工程が煩雑になり作業性がよくないとともに、プラスチック包装材料にミシン目状のスリットを形成する工程が必要になるという欠点を有している。
【発明の開示】
【発明が解決しようとする課題】
【０００４】
本発明の目的は、おしぼり等の水分を多く含む内容物を収納した包装体を電子レンジ等により加熱する際に、内部で発生する蒸気の圧力が高くなると合掌熱接着部が剥離し包装袋の内部の蒸気を自動的に外部に排出することにより、包装体が破裂するのを防止した加熱用包装袋を提供することである。
【課題を解決するための手段】
【０００５】
基材層と熱接着性樹脂層を備えた積層体からなり合掌熱接着部と端縁熱接着部により形成された細長いピロータイプの包装袋であって、合掌熱接着部の長手方向の中央部において、一方の積層体の基材層と熱接着性樹脂層間に、合掌熱接着部内端より所定距離内側の位置から積層体の合掌熱接着部外端より所定距離外側の位置にある合掌熱接着部と平行な端縁に達する領域に部分的な剥離層が形成された構成の加熱する際に、包装袋内部で発生する蒸気の圧力により合掌熱接着部が剥離し包装袋内部の蒸気を包装袋外部に排出する加熱用包装袋である。
【０００６】
上記の加熱用包装袋において、前記剥離層の形状が、合掌熱接着部内端より所定距離内側の位置から積層体の合掌熱接着部外端より所定距離外側の位置にある合掌熱接着部と平行な端縁に向かって先細りの形状とされている構成である。
【０００７】
上記の加熱用包装袋において、前記剥離層が、所定の間隔をおいて形成された碁盤目状であり、碁盤目部の各辺が合掌熱接着部の長手方向と略４５度の角度をもつように配列されている構成である。
【０００８】
上記の加熱用包装袋において、前記合掌熱接着部において、一方の積層体に合掌熱接着部に平行な所定幅を有する積層体を貫通する微細傷痕群が形成された構成である。
【０００９】
上記の加熱用包装袋において、前記熱接着性樹脂層の厚さが１５〜５０μｍとされている構成である。
【発明の効果】
【００１０】
本発明の加熱用包装袋におしぼり等の水分を多く含む内容物を包装して包装体とし電子レンジ等により加熱して内容物を温める際に、内容物から発生する蒸気により包装袋がふくれ、合掌熱接着部にかかる内圧の最も大きくなる合掌熱接着部の長手方向の中央部の剥離層が形成された箇所において、合掌熱接着部内端で熱接着性樹脂層が破断し、次いで、積層体の基材層と剥離層間ないしは剥離層と熱接着性樹脂層間で剥離が進行して蒸気が自動的に外部に排出させることができるので包装体が破裂するという問題を解消することができる。
【００１１】
請求項２にかかる発明では、剥離層が形成された箇所にて基材層と熱接着性樹脂層間が剥離しても包装袋に外部と連通する大きい開口が形成されることがないので、加熱後に放置した場合で内容物に含まれる水分が揮散してしまうことがない。
【００１２】
請求項３にかかる発明では、剥離層の全面が一度に剥離してしまうことがなく、蒸気の排出路に沿って碁盤目部の単位で剥離層が剥離してゆくので、剥離層の全面が剥離して大きい開口が形成されることがなくなる。
【００１３】
請求項４にかかる発明では、合掌熱接着部内端にて熱接着性樹脂層が破断した後、一方の積層体を貫通する微細傷痕群から蒸気を外部に排出させることができる。
【００１４】
請求項５にかかる発明では、合掌熱接着部の内端にて熱接着性樹脂層が破断し易くなるので剥離層が形成された箇所から蒸気を排出させるのが容易となる。
【発明を実施するための最良の形態】
【００１５】
以下、図面を引用して本発明の実施の形態を説明する。
図１は本発明の第１実施形態を示す合掌熱接着部側の平面図、図２は図１のＩ−Ｉ線拡大断面図、図３は本発明の第２実施形態を示す合掌熱接着部側の平面図、図４は本発明の第３実施形態を示す合掌熱接着部側の平面図、図５は本発明の第４実施形態を示す剥離層が形成された箇所の拡大平面図であり、２は合掌熱接着部、2aは合掌熱接着部内端、３は端縁熱接着部、４，4'，4"は剥離層、4aは碁盤目部、4bは間隔、５は微細傷痕群、10は積層体、11は基材層、12は熱接着性樹脂層をそれぞれ表す。
【００１６】
本発明の第１実施形態は、図１、図２に示すとおりであり、基材層11と熱接着性樹脂層12を備えた積層体10からなり、合掌熱接着部２と端縁熱接着部3,3 により形成された細長いピロータイプの包装袋であって、合掌熱接着部２の長手方向の中央部において、合掌熱接着部２を形成する一方の積層体10の基材層11と熱接着性樹脂層12間に、合掌熱接着部内端2aより所定距離内側の位置から合掌熱接着部２と平行方向の端縁に達する領域に所定の上下幅を有する部分的な剥離層４が形成された構成である。
【００１７】
第１実施形態において、合掌熱接着部２の長手方向の中央部に剥離層４が形成された箇所の横方向の断面形状は、図２に示すとおりであり、合掌熱接着部２を形成する一方の積層体10の基材層11と熱接着性樹脂層12間に、合掌熱接着部内端2aより所定距離内側の位置から積層体10の端縁に達する部分的な剥離層４が形成されている構成である。剥離層４は合掌熱接着部２を形成する一方の積層体10の基材層11と熱接着性樹脂層12間に形成すればよく、第１実施形態と異なるが、他方の積層体10の基材層11と熱接着性樹脂層12間に剥離層４を形成してもよい。
【００１８】
第１実施形態の加熱用包装袋におしぼり等の内容物を収納して密封した包装体とし、電子レンジ等にて加熱することにより、おしぼり等の内容物に含まれる水分が気化して内圧が高くなり包装袋が大きく膨れ、包装袋が大きく膨れた状態で包装袋の長手方向の中央部において合掌熱接着部２を剥離させようとする力が最も大きくなるため、包装袋の長手方向の中央部における合掌熱接着部内端2aにて熱接着性樹脂層12が破断し、剥離層４と熱接着性樹脂層12間ないしは基材層11と剥離層４間に剥離が発生し、発生した剥離が進行して積層体10の端縁に達すると包装袋の内部の蒸気は自動的に外部に排出される。したがって、おしぼり等の包装体を電子レンジ等にて加熱した際に、包装体が破裂するのを防止することができる。
【００１９】
本発明の第２実施形態は、図３に示されているとおりであり、積層体10の基材層11と熱接着性樹脂層12間に形成される剥離層4'の形状が、包装袋の内部側では上下幅が広く外側に向かって狭くなっている台形状とされている点で異なる以外は、基本的には第１実施形態と同じ構成である。第２実施形態では、内部におしぼり等の内容物を収納した包装体を電子レンジ等にて加熱することにより、剥離層4'が形成された箇所にて合掌熱接着部内端2aの熱接着性樹脂層12が破断して合掌熱接着部２が剥離する際に、合掌熱接着部２の端縁に近づくにつれて剥離がゆっくりと進み、一気に大きな開封口が開かないため大きな音をたてることがなく、また、剥離層4'の形状のように先細り状態に剥離が進行するため、積層体10の基材層11と熱接着性樹脂層12が上下方向に広い幅で剥離してしまうことがないので、加熱した包装体を放置した場合でもおしぼり等の内容物に含まれる水分が揮散して乾いた状態になってしまうことがない。
【００２０】
本発明の第３実施形態は、図４に示されているとおりであり、合掌熱接着部２を形成する一方の積層体10に合掌熱接着部２と平行方向に合掌熱接着部２の内部に入るように連続した所定幅の積層体10を貫通する微細傷痕群５が形成されている点で異なる以外は、基本的には第２実施形態と同じ構成である。第３実施形態では、内部におしぼり等の内容物を収納した包装体を電子レンジ等にて加熱することにより、剥離層4'が形成された箇所にて合掌熱接着部内端2aの熱接着性樹脂層12が破断して合掌熱接着部２が剥離し、剥離が微細傷痕群５の箇所に達すると積層体10を貫通する微細傷痕を通して蒸気が外部に排出されるので、蒸気の抜けが分散されよりゆるやかな開封となり大きな音をたてることがなく、また、合掌熱接着部２の箇所から積層体10の基材層11と熱接着性樹脂層12が剥離層4'の形状どおりに剥離してしまうことがない。
【００２１】
本発明の第４実施形態は、図５に示されているとおりであり、剥離層4"が碁盤目部4aが一定の間隔4bをおいて、合掌熱接着部２の方向と４５度の角度をなすように配列された形状とされている点で異なる以外は第１実施形態と同じ構成である。剥離層4"において、碁盤目部4aの一辺の長さを２〜１０ｍｍとし、碁盤目部4aの間隔4bを０．１〜１．０ｍｍとするのが好ましい。第３実施形態では、内部におしぼり等の内容物を収納した包装体を電子レンジ等にて加熱することにより、剥離層4"が形成された箇所にて合掌熱接着部内端2aの熱接着性樹脂層12が破断し、剥離層4"が形成された領域の全面にわたって積層体10の基材層11と熱接着性樹脂層12が簡単に剥離してしまうことがなく、強い剥離力の作用する領域のみが剥離するので包装袋に大きい開口が発生しない。
【００２２】
本発明の第１実施形態において、合掌熱接着部２内に入るように合掌熱接着部２に平行に所定幅の微細傷痕群を形成した構成とすることもできる。また、第２、第３実施形態において、剥離層4'を第４実施形態のように、碁盤目部が一定の間隔をおいて配列された形状とすることができる。
【００２３】
剥離層を形成する離型性樹脂としては、硝化綿、ポリアミド樹脂、ポリエステル樹脂、アクリル樹脂、ブチラール樹脂等の単体ないしは混合物が使用できる。必要により少量のシリコーン等を添加してもよい。離型層は上記の樹脂からなるインキを使用して基材層となるプラスチックフィルム面にグラビア印刷等により印刷することにより形成される。離型層はベタ印刷版にて印刷して形成するのが普通であるが、網点面積率が６０〜９０％の網点印刷版を使用して微細な網点状に形成することもできる。剥離層の剥離強度は、上記樹脂の種類及び網点面積率を変えることにより任意に変えることができる。
【００２４】
合掌熱接着部における合掌熱接着部内端2aでの熱接着性樹脂層を破断させる剥離強度としては、１０〜２０Ｎ／１５ｍｍ幅とするのが好ましい。１０〜２０Ｎ／１５ｍｍ幅の強度とすることにより、おしぼり等の水分を多く含む内容物が収納された包装体を電子レンジで加熱した際に、合掌熱接着部の上下方向の中央部の剥離層が形成された箇所にて、包装袋の内部で発生した蒸気の圧力により合掌熱接着部内端での熱接着性樹脂層を破断させて合掌熱接着部を剥離させ内部の蒸気を包装袋の外に排出させることができるので、加熱により包装袋が破裂することがない。
【００２５】
第１〜第４実施形態において、包装袋の形状は細長いピロータイプ袋とされるものであるが、包装袋の長辺と端辺の長さの比率が３：１〜５：１とするのが好ましい。上記の形状とすることにより、包装袋の内部で発生した蒸気により包装袋が膨らんだ際に、合掌熱接着部の長手方向の中央部において合掌熱接着部を剥離させる力が他の箇所と比較して最も大きくなるので、合掌熱接着部の長手方向の中央部において確実に合掌熱接着部内端2aにて熱接着性樹脂層を破断させて積層体の基材層と熱接着性樹脂層間で剥離させることができる。
【００２６】
積層体は基材層と熱接着性樹脂層からなり、基材層としては２軸延伸ポリエチレンテレフタレート（ＰＥＴ）、２軸延伸ポリプロピレン（ＯＰＰ）、２軸延伸ナイロン（ＯＮ）が使用でき、熱接着性樹脂層としては、低密度ポリエチレン（ＬＤＰＥ）、線状低密度ポリエチレン（ＬＬＤＰＥ）、エチレン−酢酸ビニル共重合体（ＥＶＡ）、未延伸ポリプロピレン（ＣＰＰ）等が使用できる。熱接着性樹脂層の厚さとしては、合掌熱接着部内端にて破断し易いように１５〜５０μｍとされる。積層方法は押出ラミネーション（ＥＣ）またはドライラミネーション（ＤＬ）により行われる。積層体の構成は、例えば、ＰＥＴ／ＥＣ／ＬＤＰＥ、ＰＥＴ／ＤＬ／ＬＬＤＰＥ、ＰＥＴ／ＤＬ／ＣＰＰ、ＯＰＰ／ＥＣ／ＬＤＰＥ、ＯＰＰ／ＤＬ／ＬＬＤＰＥ、ＯＰＰ／ＤＬ／ＣＰＰ等である。
【００２７】
本発明の実施形態においては、おしぼり等の包装用途に限定して説明したが、本発明の加熱用包装袋は、水分を多く含み、電子レンジ等により加熱調理して使用する食品等の内容物を包装するのに幅広く使用できるものである。包装袋に加熱調理して使用する食品等の内容物を包装した包装体として、合掌熱接着部の形成されている面を上面にして電子レンジ等で加熱することにより、包装袋が破裂することなく内容物を加熱調理することができる。
【図面の簡単な説明】
【００２８】
【図１】本発明の第１実施形態を示す合掌熱接着部側の平面図。
【図２】図１のＩ−Ｉ線拡大断面図。
【図３】本発明の第２実施形態を示す合掌熱接着部側の平面図。
【図４】本発明の第３実施形態を示す合掌熱接着部側の平面図。
【図５】本発明の第４実施形態を示す剥離層が形成された箇所の拡大平面図。
【符号の説明】
【００２９】
２  合掌熱接着部
2a  合掌熱接着部内端
３  端縁熱接着部
４，４’，４”  剥離層
4a  碁盤目部
4b  間隔
５  微細傷痕群
10  積層体
11  基材層
12  熱接着性樹脂層
【図１】
0004844789.tif 000002
【図２】
0004844789.tif 000003
【図３】
0004844789.tif 000004
【図４】
0004844789.tif 000005
【図５】
0004844789.tif 000006